(57)【特許請求の範囲】
【請求項１】
無線送受信ユニット（ＷＴＲＵ）によって実装される方法であって、
システム間変更が実行された後に、国際移動体加入者識別（ＩＭＳＩ）または一時移動体加入者識別（ＴＭＳＩ）のうちの１つが使用されるべきであることを示す値を有する１ビットの情報要素（ＩＥ）を含む回線交換（ＣＳ）サービス通知メッセージを受信するステップと、
前記システム間変更が実行された後に、前記ＩＥに従って識別を使用してページング応答メッセージを送信するステップと、
を含む、方法。
【請求項２】
前記ＷＴＲＵは、有効なＴＭＳＩを割り当てられており、前記ＩＥは、前記ＴＭＳＩを示す、請求項１に記載の方法。
【請求項３】
前記ＷＴＲＵは、有効なＴＭＳＩを割り当てられておらず、前記ＩＥは、前記ＩＭＳＩを示す、請求項１に記載の方法。
【請求項４】
前記ＣＳサービス通知メッセージは、ＣＳコール要求を着信させるためのものである、請求項１に記載の方法。
【請求項５】
前記１ビットのＩＥは、前記ＩＭＳＩについてある値を有し、前記ＴＭＳＩについて別の値を有する、請求項１に記載の方法。
【請求項６】
無線送受信ユニット（ＷＴＲＵ）であって、
システム間変更が実行された後に、国際移動体加入者識別（ＩＭＳＩ）または一時移動体加入者識別（ＴＭＳＩ）のうちの１つが使用されるべきであることを示す値を有する１ビットの情報要素（ＩＥ）を含む回線交換（ＣＳ）サービス通知メッセージを受信するように構成された受信機と、
前記システム間変更が実行された後に、前記ＩＥに従って識別を使用してページング応答メッセージを送信するように構成された送信機と、
を備える、ＷＴＲＵ。
【請求項７】
前記ＷＴＲＵは、有効なＴＭＳＩを割り当てられており、前記ＩＥは、前記ＴＭＳＩを示す、請求項６に記載のＷＴＲＵ。
【請求項８】
前記ＷＴＲＵは、有効なＴＭＳＩを割り当てられておらず、前記ＩＥは、前記ＩＭＳＩを示す、請求項６に記載のＷＴＲＵ。
【請求項９】
前記ＣＳサービス通知メッセージは、ＣＳコール要求を着信させるためのものである、請求項６に記載のＷＴＲＵ。
【請求項１０】
前記１ビットのＩＥは、前記ＩＭＳＩについてある値を有し、前記ＴＭＳＩについて別の値を有する、請求項６に記載のＷＴＲＵ。
【請求項１１】
ネットワークにおいて実装される方法であって、
システム間変更が実行された後に、国際移動体加入者識別（ＩＭＳＩ）または一時移動体加入者識別（ＴＭＳＩ）のうちの１つが使用されるべきであることを示す値を有する１ビットの情報要素（ＩＥ）を含む回線交換（ＣＳ）サービス通知メッセージを送信するステップと、
前記システム間変更が実行された後に、前記ＩＥに従って識別を使用してページング応答メッセージを受信するステップと、
を含む、方法。
【請求項１２】
前記ＷＴＲＵは、有効なＴＭＳＩを割り当てられており、前記ＩＥは、前記ＴＭＳＩを示す、請求項１１に記載の方法。
【請求項１３】
前記ＷＴＲＵは、有効なＴＭＳＩを割り当てられておらず、前記ＩＥは、前記ＩＭＳＩを示す、請求項１１に記載の方法。
【請求項１４】
前記ＣＳサービス通知メッセージは、ＣＳコール要求を着信させるためのものである、請求項１１に記載の方法。
【請求項１５】
前記１ビットのＩＥは、前記ＩＭＳＩについてある値を有し、前記ＴＭＳＩについて別の値を有する、請求項１１に記載の方法。
【請求項１６】
ネットワークであって、
システム間変更が実行された後に、国際移動体加入者識別（ＩＭＳＩ）または一時移動体加入者識別（ＴＭＳＩ）のうちの１つが使用されるべきであることを示す値を有する１ビットの情報要素（ＩＥ）を含む回線交換（ＣＳ）サービス通知メッセージを送信するように構成された送信機と、
前記システム間変更が実行された後に、前記ＩＥに従って識別を使用してページング応答メッセージを受信するように構成された受信機と、
を備える、ネットワーク。
【請求項１７】
前記ＷＴＲＵは、有効なＴＭＳＩを割り当てられており、前記ＩＥは、前記ＴＭＳＩを示す、請求項１６に記載のネットワーク。
【請求項１８】
前記ＷＴＲＵは、有効なＴＭＳＩを割り当てられておらず、前記ＩＥは、前記ＩＭＳＩを示す、請求項１６に記載のネットワーク。
【請求項１９】
前記ＣＳサービス通知メッセージは、ＣＳコール要求を着信させるためのものである、請求項１６に記載のネットワーク。
【請求項２０】
前記１ビットのＩＥは、前記ＩＭＳＩについてある値を有し、前記ＴＭＳＩについて別の値を有する、請求項１６に記載のネットワーク。
【発明の詳細な説明】
【技術分野】
【０００１】
＜関連出願の相互参照＞
本出願は、参照により本明細書において完全に説明されているものとして組み込まれている、２００９年３月３１日に出願した米国特許仮出願第６１／１６５，０７６号明細書の利益を主張する。
【０００２】
本出願は、無線通信に関する。
【背景技術】
【０００３】
ＥＰＳ（進化型パケットシステム；evolved packet system）は、ＰＳＳ（パケット交換サービス；packet switched service）およびＮＰＳＳ（非パケット交換サービス；non-packet switched service）の両方を提供する。ＮＰＳＳの例は、ＣＳＦＢ（回線交換フォールバック；circuit switched fallback）特徴であり、この特徴では、ＣＳ（回線交換；circuit switched）サービス要求用のシグナリングが、ＥＰＳを介して実施されても、ＷＴＲＵ（無線送受信ユニット；wireless transmit/receive unit）は、実際のコール・セットアップ・シグナリングおよびユーザ・データ・ファンクションが提供される旧来のネットワークに向けられる。ＮＰＳＳの別の例は、ＥＰＳ制御プレーンを介したＳＭＳ（ショートメッセージサービス；short message service）のプロビジョニングである。
【０００４】
ＥＰＳネットワークなどのＩＰ（インターネットプロトコル；Internet protocol）ネットワークを介してＳＭＳを提供することも可能であるが、この場合、ＳＭＳは単に、ＥＰＳのユーザ／データプレーンを介して搬送され、ＮＰＳＳとは見なされない。
【０００５】
ただし、ＮＰＳＳを提供するために、ＬＴＥ（ロングタームエボリューション；long term evolution）ネットワーク内のＭＭＥ（移動管理エンティティ；mobility management entity）は、ＭＳＣ／ＶＬＲ（ＭＳＣ（移動交換局；mobile switching center）／在圏ロケーションレジスタ；visitor location register）との「ＳＧｓ」インタフェースを使う。さらに、ＷＴＲＵは、複合ＥＰＳ／ＩＭＳＩ（国際移動体加入者識別；international mobile subscriber identity）アタッチ手順を実施することによって、または複合ＴＡ（トラッキングエリア；tracking area）／ＬＡ（ロケーションエリア；location area）アップデート手順を実施することによって、ＰＳＳおよびＮＰＳＳの両方に登録する（すなわち、ＷＴＲＵは、ＰＳ（パケット交換；packet switched）ドメインおよびＣＳドメイン両方にアタッチされる）。ＷＴＲＵは、複合登録（combined registration）を実施するために、前もって、ＷＴＲＵが登録されている、または登録されようとしているＭＭＥが、ＭＳＣ／ＶＬＲとのＳＧｓインタフェースを有することを知っていなければならない。
【発明の概要】
【発明が解決しようとする課題】
【０００６】
現時点で、ネットワークが、（たとえば、ＳＩ（システム情報；system information）メッセージを使って）ＳＧｓインタフェースの存在をブロードキャストするか、それとも通知する（advertise）かということも、あるいは、ＰＳおよびＮＰＳＳの両方にアクセスするＷＴＲＵが複合登録を常に要求するかどうかということも、標準化されていない。したがって、（可能性としては異なるネットワークアーキテクチャをもつ）ＣＳＦＢおよび／または汎用ＣＳオーバーＥＰＳサービスをサポートするＷＴＲＵが、ＷＴＲＵが受信するメッセージ（アイドルモードにあるページングまたは接続モードにあるＮＡＳ（非アクセス階層；non-access stratum）メッセージのどちらか）が、ＣＳＦＢに、それともＣＳオーバーＥＰＳに関連づけられているのかをどのようにして判定し得るかということは明らかではない。
【０００７】
上記に基づいて、ターゲットＲＡＴネットワーク内で非パケット交換サービスを提供して、シグナリングにもシステム要件にも負荷をかけ過ぎることなく、ＣＳＦＢに関連づけられたメッセージと、ＣＳオーバーＥＰＳに関連づけられたメッセージとの間を区別する方法および装置が所望される。
【課題を解決するための手段】
【０００８】
ターゲットＲＡＴ（無線アクセス技術；radio access technology）ネットワークに、非パケット交換サービスを提供する方法および装置について記載する。ＣＳサービス通知メッセージが、ＷＴＲＵによって受信される。ＷＴＲＵが有効なＴＭＳＩ（一時移動体加入者識別；temporary mobile subscriber identity）を割り当てられていた場合、システム間変更がソースＲＡＴネットワークからターゲットＲＡＴネットワークへと実施された後、有効なＴＭＳＩを含むページング応答メッセージが送信される。ＣＳサービス通知メッセージは、ＣＳコール要求を着信させる（terminating）ためのものである。ソースＲＡＴネットワークは、ＬＴＥネットワークでよく、ターゲットＲＡＴネットワークは、３ＧＰＰ（第３世代パートナーシッププロジェクト；third generation partnership project）ネットワークでよい。あるいは、ＷＴＲＵが有効なＴＭＳＩを割り当てられていない場合、ＷＴＲＵを識別するＩＭＳＩを含むページング応答メッセージが、システム間変更が実施された後で送信される。
【図面の簡単な説明】
【０００９】
添付の図面とともに、例として挙げられる以下の説明により、より詳細な理解が得られよう。
【００１０】
【図１】ＷＴＲＵに３ＧおよびＬＴＥ受信圏を提供する無線通信システムを示す図である。
【図２】図１の無線通信システムにおいて実装されるＷＴＲＵ識別手順を示すフロー図である。
【図３】ＷＴＲＵを示す例示的なブロック図である。
【発明を実施するための形態】
【００１１】
これ以降において言及する場合、「ＷＴＲＵ（無線送受信ユニット；wireless transmit/receive unit）」という用語は、ＵＥ（ユーザ装置；ｕｓｅｒ  ｅｑｕｉｐｍｅｎｔ）、移動局、固定もしくは移動加入者ユニット、ページャ、セルラー電話、ＰＤＡ（携帯情報端末；personal digital assistant）、コンピュータ、または無線環境において動作することが可能な他のどのタイプのデバイスも含むが、それに限定されない。
【００１２】
また、「ＷＴＲＵ」という用語は、ＰＳおよびＮＰＳＳ両方を用いることが可能であり、そのように構成されたＷＴＲＵを指す。さらに、ＮＰＳＳは、単なるＳＭＳまたはＣＳＦＢにも、ＮＰＳＳ汎用ＣＳオーバーＥＰＳにも限定されない。
【００１３】
これ以降で言及する場合、「ノードＢ」という用語は、基地局、ｅＮｏｄｅＢ（進化型ノードＢ；evolved Node-B）、サイトコントローラ、ＡＰ（アクセスポイント；access point）、または無線環境において動作することが可能な他のどのタイプのインタフェース装置も含むが、それに限定されない。
【００１４】
ＷＴＲＵ状態に依存して、ＷＴＲＵは、ＣＳコール要求の着信についての様々な指示を受信する。アイドルモードにおいて、ＷＴＲＵは、ＲＲＣ（無線リソース制御；radio resource control）ページングメッセージを用いてページングされる。ページングメッセージは、ページングを開始したコアネットワークドメインの指示を含む。ＣＳコールに対して、コアネットワークドメインは、「ｃｓ」を指示する。さらに、ＷＴＲＵは、一時識別（たとえば、ＷＴＲＵ  Ｓ−ＴＭＳＩ（ＳＡＥ（システムアーキテクチャエボリューション；system architecture evolution）−一時移動体加入者識別；temporary mobile subscriber identity））、またはＩＭＳＩどちらかを用いてもページングされ得る。ＷＴＲＵがＳ−ＴＭＳＩを用いてページングされる場合、ＷＴＲＵは、ターゲットＲＡＴネットワークへのシステム間変更（たとえば、ＰＳハンドオーバ）が起こると、ＷＴＲＵの識別としてのＴＭＳＩを搬送するページング応答を、（ターゲットＲＡＴネットワークによって処理された信号メッセージを使って）送ることができる。
【００１５】
一方、ＷＴＲＵが、ＥＰＳにおけるＩＭＳＩを用いてページングされる場合、ＷＴＲＵは、ＷＴＲＵの識別としてＷＴＲＵのＩＭＳＩを用いて、ターゲットＲＡＴネットワークにページング応答を送ることができる。
【００１６】
接続モードでは、ＷＴＲＵは、ページングメッセージを受信しない。したがって、着信されるＣＳコール要求（terminated CS call request）を示すために、ＮＡＳメッセージ（たとえば、ＮＡＳ  ＣＳサービス通知メッセージ）が、ＷＴＲＵに送られる。
【００１７】
たとえば、ＷＴＲＵがＧＥＲＡＮ（ＧＳＭ（汎欧州デジタル移動電話方式；global system for mobile communications）（登録商標）／ＥＤＧＥ（ＧＳＭエボリューション用拡張データレート；enhanced data rates for GSM evolution）無線アクセスネットワーク）／ＵＴＲＡＮ（ユニバーサル地上無線アクセスネットワーク；universal terrestrial radio access network）からＥ−ＵＴＲＡＮ（進化型ＵＴＲＡＮ；evolved-UTRAN）に、または非３ＧＰＰ（非第３世代パートナーシッププロジェクト；non-third generation partnership project）アクセス（たとえば、ＣＤＭＡ（符号分割多重アクセス；code division multiple access）２０００）からＥ−ＵＴＲＡＮに移動中である、システム間変更という状況（たとえば、ハンドオーバ）において、ＷＴＲＵは、Ｅ−ＵＴＲＡＮアクセスのためのＧＰＲＳ（汎用パケット無線サービス；general packet radio service）拡張機能において指定されるように、Ｅ−ＵＴＲＡＮ内でＴＡＵ（ＴＡアップデート；TA update）手順を開始することができる。ただし、（ＮＰＳＳ、たとえば、ＣＳＦＢに登録するために）Ｅ−ＵＴＲＡＮへのアクセスが起きたとき、複合ＴＡ／ＬＡアップデート手順がＷＴＲＵによって開始される予定であるかどうか決定するのに使うことができる、ＷＴＲＵにとって入手可能な情報はない。したがって、ＷＴＲＵは、Ｅ−ＵＴＲＡＮ（または、より具体的には、ターゲットＥ−ＵＴＲＡＮセル内のＭＭＥ）がＮＰＳＳをサポートするかどうか、あるいは、ＮＰＳＳのプロビジョニングのための固有インタフェース（たとえば、ＳＧｓ）が存在するかどうかは分からない。
【００１８】
現時点でＥ−ＵＴＲＡＮに接続されているＷＴＲＵには、ターゲットＲＡＴネットワークのアーキテクチャまたはサポートされるインタフェースについての完全な知識はない。一例として、ＷＴＲＵは、ＷＴＲＵがＣＳＦＢ手順の一部として向けられているターゲットＲＡＴネットワーク（たとえば、ＧＥＲＡＮ／ＵＴＲＡＮ）内に、「Ｇｓ」インタフェース、すなわちＳＧＳＮ（サービングＧＰＲＳサポートノード；serving GPRS support node）とＶＬＲとの間のインタフェースがあるかどうか分からない。したがって、ＷＴＲＵは、複合経路指定／ロケーションエリアアップデートが、独立経路指定およびロケーションエリアアップデート手順と対比して、ターゲットシステムにおいて実施されるべきかどうか、直ちには分かりようがない。このような情報が分からないことにより、コールセットアップ時間が遅れる。というのは、ＷＴＲＵは、ターゲットシステムにおいてＳＩメッセージをデコードすることを求められる場合があり、次いで、複合手順より長くかかる独立アップデート手順を実施することができるからである。
【００１９】
ＮＰＳＳ（非パケット交換サービス）またはＣＳ（回線交換）サービスのサポートに関連した情報は、ターゲットＥ−ＵＴＲＡＮセルに含めることができる。ＲＡＴ間転送を容易にする１つのやり方は、ＥＰＳなどのＰＳＳを主としてサポートしているターゲットＲＡＴネットワークにおいてＮＰＳＳがサポートされる（またはサポートされない）ことを示す情報を、ソースシステムからＷＴＲＵに送られる任意の移動メッセージ（たとえば、ＧＳＭ／ＵＴＲＡＮにおけるＲＲＣメッセージ、またはＥＧＰＲＳ（拡張ＧＰＲＳ；enhanced GPRS）におけるＲＬＣ（無線リンク制御；radio link control）／ＭＡＣ（メディアアクセス制御；medium access control）メッセージ）に含めるものである。したがって、ＷＴＲＵは、この情報を用いて、どのようなタイプのＴＡＵ手順が実施されるべきか判定する。
【００２０】
たとえば、移動メッセージ中に含まれ得る情報は、ＣＳＦＢサポートされる。このことは、ターゲットＲＡＴネットワークがＣＳＦＢをサポートすることを示し、ＭＭＥとＭＳＣ／ＶＬＲとの間にＳＧｓインタフェースがあることを暗示する。さらに、このことは、ＳＭＳおよび可能性としてはＳＳサービスも、ＥＰＳ制御プレーンを介して同様にサポートされることを示し得る。
【００２１】
別の例では、移動メッセージ中に含まれ得る情報は、ネイティブＳＭＳサポートされる。このことは、ＥＰＳ制御プレーンを介したＳＭＳ（および可能性としてはＳＳ（交換サービス；switched service））はサポートされるが、ＣＳＦＢはサポートされないことを示す。
【００２２】
別の例では、移動メッセージ中に含まれ得る情報は、ＩＰベースのサービスである。この情報は、ＳＭＳまたは他のサービスが、ＩＰユーザ／データプレーンを介してのみサポートされることを示し得る。
【００２３】
別の例では、移動メッセージ中に含まれ得る情報は、他のＣＳオーバーＰＳ（CS over PS）サービスである。この情報は、ＣＳオーバーＰＳサービスがサポートされることを示すことができ、また、ＣＳＦＢ用のものなど、同様の指示が使われることになる。
【００２４】
別の例では、移動メッセージ中に含まれ得る情報は、インタフェース指示である。この情報は、ＭＭＥと別のネットワークノードとの間に固有インタフェースが存在することをＷＴＲＵに知らせるのに使われ得る。したがって、ネットワークアーキテクチャは、この指示から推論される。さらに、この情報は、このインタフェースを介した、サポートされるＣＳオーバーＰＳサービスもすべて示す。
【００２５】
別の例では、移動メッセージ中に含まれ得る情報は、ＶｏＩＰ（ボイスオーバーIP;voice over IP）である。この情報は、Ｅ−ＵＴＲＡＮにおいてＶｏＩＰサービスが（たとえば、ＩＭＳを介して）サポートされるかどうかを示す。サポートされる場合、ＷＴＲＵは、そのＣＳＦＢ機能を任意選択で無効にすることができるが、依然としてＬＴＥによりＳＭＳを送ることができる（暗黙的に、ＳＭＳおよび／またはＳＳのための、ＳＧｓインタフェースの存在を暗示する）。
【００２６】
別の例では、移動メッセージ中に含まれ得る情報は、ＩＭ（インスタントメッセージング；instant messaging）である。この情報は、インスタントメッセージング（たとえば、ＳＩＰ（セッション開始プロトコル；session initiated protocol）を使う）がＥ−ＵＴＲＡＮにおいてサポートされるかどうかを示す。
【００２７】
別の例では、移動メッセージ中に含まれ得る情報は、上記すべての具体的な組合せが、ターゲットＥＰＳネットワークにおいてサポートされることを示すのに使われ得る。
【００２８】
別の例では、移動メッセージ中に含まれ得る情報は、ターゲットＲＡＴにおいて緊急コールをサポートする。この情報は一般化することができ、そうすることによって、ターゲットＲＡＴにおいてサポートされる緊急コールが最初に示され、次いで、ターゲットＲＡＴにアクセスすると、緊急コールのタイプ（たとえば、ＣＳ、ＩＭＳ）を判定する。あるいは、この情報は、非常に詳述される（たとえば、ＩＭＳによる緊急コールのサポート、ＣＳＦＢによる緊急コールのサポート、またはＣＳオーバーＰＳによる緊急コールのサポート）。たとえば、ＩＭＳと、ＣＳオーバーＰＳ緊急コールサポート指示との組合せを用いてもよい。
【００２９】
移動メッセージ中に含まれる情報は、ＬＴＥ  ＲＲＣからの指示として、またはＬＴＥ  ＲＲＣにとって透過な、ＮＡＳ専用のコンテナに入れられて、ＥＭＭ（またはＮＡＳ）によって受信され得る。ＥＰＳ  ＮＡＳは次いで、ＥＰＳネットワーク内でＮＰＳＳが提供されるかどうか（または、将来、固有インタフェースが実装されるかどうか）を知り得る。したがって、ＥＰＳ  ＮＡＳは次いで、システム間変更を実施すると、ターゲットＥＰＳネットワーク内で、必要な登録メッセージを送ることができる。
【００３０】
たとえば、情報は、移動メッセージ中に、ビットマップの形で含めることができ、各ビットは、ある特定のＮＰＳＳまたはインタフェースのサポートを指定する。あるいは、値が、異なるＮＰＳＳそれぞれに割り当てられ、ＷＴＲＵにシグナリングされ得る。
【００３１】
ＷＴＲＵは、ＬＴＥ内（すなわち、あるＥ−ＵＴＲＡＮセルから別のＥ−ＵＴＲＡＮセルへの）ハンドオーバを実施するとき、ネットワーク能力を要求する場合があり、そうすることによって、ターゲットＲＡＴネットワークは、ＣＳＦＢもしくはＣＳオーバーＰＳ、またはＩＭＳ／ＶｏＩＰをサポートできる場合も、できない場合もある。ＷＴＲＵは、ある特定のサービスがサポートされ、またはサポートされないセルに入るとき、移動メッセージ中に含まれる情報を利用し、特有のアクションをとり得る。周波数内および周波数間ハンドオーバのケースでは、ＷＴＲＵは、ＷＴＲＵが測定するセルに対して、ネットワークがターゲットセル能力を提供することを要求し得る。この要求は、「ネットワーク能力要求メッセージ」（request network capability message）に入れて送ることができ、このメッセージは、別個のＲＲＣメッセージでもよく、既存のＲＲＣメッセージの一部でもよい。ＷＴＲＵは、ＷＴＲＵが期待するサービスをターゲットセル内で提供することもできる。ネットワークは、ターゲットセルとコンタクトをとり、ターゲットセルの能力を応答メッセージに入れてＷＴＲＵに提供することができ、このメッセージは次いで、ＷＴＲＵによって、ネットワークの信号強度とともに、ＷＴＲＵがハンドオーバ先として望むセルを優先させ、この情報を優先順位に従ってネットワークに報告するのに使うことができる。ネットワークは次いで、ＷＴＲＵが最大の嗜好を表しているセルにＷＴＲＵを送ることができる。
【００３２】
ＲＡＴ間転送を容易にする別のやり方は、（たとえば、ＥＰＳネットワークにおける）ＣＳオーバーＰＳのサポートについての情報を、Ｅ−ＵＴＲＡＮ  ＳＩＢ（システム情報ブロック；system information block）メッセージに含めるものである。あるいは、ＳＩＢは、固有アーキテクチャサポートまたは固有インタフェースの存在を指示し得る。この指示を使って、ネットワークがサポートするサービスのタイプを推論することができる。サービスまたはインタフェースについての情報は、ＳＩＢ１または他の、優先権のより高いどのＳＩＢにも含めることができる。ハンドオーバの前に、ＷＴＲＵは次いで、こうした特定のＳＩＢを読み、ターゲットセルが提供するサービスに基づいて、ハンドオーバしたいかどうか判定するだけでよい。
【００３３】
さらに、ＣＳオーバーＰＳソリューションを使う緊急コールサポートがあるかどうかを示すためのブロードキャスト情報を含めることができる。
【００３４】
ＷＴＲＵが、ＣＳオーバーＰＳのみを可能であり、ＣＳオーバーＰＳがサポートされない、またはＣＳオーバーＰＳソリューションで緊急コールがサポートされないＥ−ＵＴＲＡＮセル上にある場合、ＷＴＲＵは、緊急コール要求が行われたとき、別のＲＡＴネットワークに変更し得る。アイドルモードにあるとき、ＷＴＲＵは、別のＲＡＴネットワークに変更し得る。接続モードにあるとき、ＷＴＲＵは、そのＲＲＣ接続をローカルに解放し、別のＲＡＴネットワークに変更し得る。任意選択で、ネットワークは、このイベントについて通知を受けることができ、そうすることによって、ＷＴＲＵは、別のＲＡＴネットワーク上にあるとき、ページングされることも、コンタクトをとられることもない。接続を解放するとき、ＲＲＣは、「他のコール」または「緊急コール」に設定された解放原因（release cause）とともに、上位層（たとえば、ＮＡＳ）に解放を指示し得る。
【００３５】
ＣＳオーバーＰＳ可能だが、ＵＳＩＭ（ユニバーサル加入者識別モジュール；universal subscriber identity module）をもたないＷＴＲＵの場合、ＷＴＲＵは、ＵＳＩＭなしで緊急サービスをサポートする別のＲＡＴを再選択することができる。あるいは、ネットワークは、ＷＴＲＵがＵＳＩＭをもたない場合でも、ＣＳオーバーＰＳを使って緊急コールをサポートすることができる。したがって、ＷＴＲＵは、その要求メッセージ中で、緊急コールを実施することが所望されること、および（任意選択で）どのＵＳＩＭも入手可能でないことを示し得る。要求メッセージは、ＮＡＳメッセージ、ＣＳオーバーＰＳ用の別の専用メッセージ、アタッチ・メッセージ（ＣＳオーバーＰＳサービスを取得するのに必要とされる場合）、またはＴＡＵ（ＣＳオーバーＰＳサービスを取得するのに必要とされる場合）のいずれでもよい。
【００３６】
さらに、新たな確立原因が、ＣＳオーバーＰＳを求める緊急コール（入手可能なＵＳＩＭがあるケースの場合に、任意選択で）を示すのに、また、ＵＳＩＭが入手可能でないケースでは、別の原因が使われ得る。
【００３７】
ＲＡＴ間転送を容易にする別のやり方は、ターゲットネットワークに関連した情報を、全体としてのハンドオーバによる、またはＣＳＦＢ手順の一部としてのハンドオーバによるシステム間変更中に、Ｅ−ＵＴＲＡＮにおいてＷＴＲＵに送られる任意の移動メッセージ中に含めるものである。たとえば、この情報は、ターゲットネットワークコンテナＩＥ（情報要素；information element）に含められてもよく、旧来のＮＡＳシグナリング専用のＩＥでもよい。Ｅ−ＵＴＲＡＮ移動メッセージ中に含まれ得る情報は、「Ｇｓ」インタフェースがターゲットネットワーク内でサポートされるかどうかの指示である。Ｅ−ＵＴＲＡＮ移動メッセージ中に含まれ得る他の情報は、ネットワークがサポートする動作モードのタイプ、およびＷＴＲＵがターゲットＲＡＴにおいて使うことができる動作モードである。たとえば、ＷＴＲＵは、デュアル転送モードがターゲットＧＥＲＡＮセル内でサポートされるかどうかを知らされ得る。ＮＡＳの確立および／またはＲＲＣ接続確立を高速化し得る他の情報は、それ以外ではシステム情報を読むことによってのみ取得され得る、システム情報メッセージの重要なセグメントを含む。一例として、ターゲットネットワークシステム情報メッセージの不可欠なＩＥ（たとえば、「ＧＰＲＳセルオプションＩＥ」）が、ＷＴＲＵに送られ得る。
【００３８】
図１は、３Ｇネットワーク１１０およびＬＴＥネットワーク１１５を提供する無線通信システム１００を示す。３Ｇネットワーク１１０は、ＭＳＣ／ＶＬＲ１２０、ＲＮＣ（無線ネットワークコントローラ；radio network controller）１２５、ＳＧＳＮ１３０およびノードＢ１３５を含む。ＬＴＥネットワーク１１５は、ＭＭＥ１４０およびｅＮｏｄｅＢ１４５を含む。ＭＭＥ１４０とＭＳＣ／ＶＬＲ１２０は、ＳＧｓインタフェース１５０を介して通信する。
【００３９】
図２は、無線通信システム１００において実装されるＷＴＲＵ識別手順のフロー図である。ＷＴＲＵ１０５は、ＰＳセッションとの接続モード中のＬＴＥ受信圏上にある（２０５）。ＣＳサービス通知メッセージが、ＭＭＥ１４０からＷＴＲＵ１０５に送信される（２１０）。ＷＴＲＵは、ＬＴＥ受信圏（すなわち、ソースＲＡＴネットワーク）から３Ｇ受信圏（すなわち、ターゲットＲＡＴネットワーク）へのシステム間変更（２１５）を実施する。ＷＴＲＵ１０５は次いで、ＭＳＣ／ＶＬＲ１２０にページング応答メッセージを送信する（２２０）。
【００４０】
図３は、ＷＴＲＵ１０５の例示的なブロック図である。ＷＴＲＵ１０５は、アンテナ３０５、受信機３１０、プロセッサ３１５および送信機３２０を含む。受信機３１０は、アンテナ３０５を介してＭＭＥ１４０（図１、２も参照されたい）からＣＳサービス通知メッセージを受信するように構成される。送信機３２０は、アンテナ３０５を介してＭＳＣ／ＶＬＲ１２０にページング応答メッセージを送信するように構成される。
【００４１】
以下の方式が、ＷＴＲＵ１０５によって、ＣＳＦＢ手順によりターゲットネットワークにページング応答メッセージを送るとき、ＷＴＲＵ自体を識別するのに用いることができ、ここでＷＴＲＵ１０５は、最初はＥＰＳにあり、ＣＳコール着信要求のためのＣＳサービス通知メッセージを受信済みである。
【００４２】
一方式では、ＥＰＳにおいて、ＷＴＲＵ１０５には、有効なＴＭＳＩが割り当てられる。ＷＴＲＵ１０５が、（たとえば、実施された最後の複合アタッチまたはＴＡＵ手順中に割り当てられた）有効なＴＭＳＩを有するという条件で、ＮＡＳ  ＣＳサービス通知が受信されると、ＷＴＲＵ１０５は、ＴＭＳＩをその識別として含むページ応答メッセージをターゲットネットワーク内で送る。この識別は、ページング応答メッセージの送付に先立って、またはその後で（ＶＬＲがＷＴＲＵ１０５に新たなＴＭＳＩを割り振らないと仮定して）、他のどのＮＡＳメッセージ（たとえば、ロケーションエリアアップデート、ＣＭ（接続管理；connection management）サービス要求）においても使うこともでき、したがって、ページング応答メッセージの使用のみに限定されない。
【００４３】
別の方式では、ＷＴＲＵ１０５は、ＥＰＳにおいて、有効なＴＭＳＩをもたない。ＷＴＲＵ１０５が有効なＴＭＳＩをもたない場合、ＬＴＥ受信圏にある間にＮＡＳ  ＣＳサービス通知メッセージを受信すると、ＷＴＲＵは、ターゲットＲＡＴネットワーク内で使うためにＷＴＲＵのＩＭＳＩをＷＴＲＵの識別として含むページング応答メッセージを送る。この識別は、ページング応答メッセージの送付に先立って、またはその後で、他の任意のＮＡＳメッセージ（たとえば、ロケーションエリアアップデート、ＣＭサービス要求）において使うこともでき、したがって、ページング応答メッセージの使用のみに限定されない。
【００４４】
別の方式では、ＷＴＲＵ１０５は、どのような識別がターゲットネットワーク内で使われるべきかに関する「明示的指示」を受信する。ＣＳサービス通知メッセージは、ＷＴＲＵ１０５が、ターゲットネットワークに移る（また、ページング応答メッセージを送る）ときにどのような識別を使うべきかに関する明示的指示を含み得る。
【００４５】
一例では、ＣＳサービス通知メッセージ中に識別ＩＥが含められる。ＩＥが、ＷＴＲＵ１０５のＩＭＳＩを示す場合、ＷＴＲＵ１０５は、どの初期ＮＡＳメッセージまたはページング応答メッセージを送るときも、ＷＴＲＵ１０５のＩＭＳＩを、ターゲットネットワーク内での識別として使う。ＩＥが、（Ｅ−ＵＴＲＡＮ内の）ＷＴＲＵ１０５に割り当てられたＴＭＳＩを示す場合、ＷＴＲＵ１０５は、どの初期ＮＡＳメッセージまたはページング応答メッセージを送るときも、ＷＴＲＵ１０５のＴＭＳＩを、ターゲットネットワーク内での識別として使う。ＩＥが、ＷＴＲＵ１０５のＩＭＳＩまたはＴＭＳＩにマップされない場合、ＷＴＲＵは、ターゲットネットワーク内でどの初期ＮＡＳメッセージまたはページ応答メッセージを送るときも、ＷＴＲＵ１０５のＩＭＳＩを、デフォルト識別として使うことができる。
【００４６】
別の例では、（たとえば、１または複数ビットの形の）インジケータが、ＣＳサービス通知メッセージ中に含められる。１ビットが使われると仮定すると、０の値は、ターゲットネットワークにおける現在のＴＭＳＩの使用を示し、１の値は、ターゲットネットワークにおけるＩＭＳＩの使用を示す。ＷＴＲＵ１０５が、有効なＴＭＳＩをもたず、かつ、ＴＭＳＩを使うようにとの指示がＣＳサービス通知メッセージに含まれる場合、ＷＴＲＵ１０５は、ＷＴＲＵ１０５のＩＭＳＩを代わりに使うことができる。ＷＴＲＵ１０５が、有効なＴＭＳＩをもつケースにおいて、ＷＴＲＵ１０５は、ターゲットネットワーク内でＩＭＳＩが使われることを指示されたとしても、その指示に従う。
【００４７】
再度図３を参照すると、ＷＴＲＵ１０５は、異なるＲＡＴネットワークの間でのハンドオーバ中に、非パケット交換サービスを提供する。ＷＴＲＵ１０５内の受信機３１０は、ＣＳサービス通知メッセージを受信するように構成することができ、ここで、ＷＴＲＵは、有効なＴＭＳＩを割り当てられている。送信機３２０は、ソースＲＡＴネットワークからターゲットＲＡＴネットワークへとシステム間変更が実施された後で、有効なＴＭＳＩを含むページング応答メッセージを送信するように構成することができる。ＣＳサービス通知メッセージは、ＣＳコール要求を着信させるためのものである。ソースＲＡＴネットワークはＬＴＥネットワークでよく、ターゲットＲＡＴネットワークは、３ＧＰＰまたは３Ｇネットワークでよい。
【００４８】
ＷＴＲＵ１０５内の受信機３１０は、ＣＳサービス通知メッセージを受信するように構成することができ、ここで、ＷＴＲＵは、有効なＴＭＳＩを割り当てられていない。ＷＴＲＵ内の送信機３２０は、ソースＲＡＴネットワークからターゲットＲＡＴネットワークへとハンドオーバが実施された後で、ＷＴＲＵを識別するＩＭＳＩを含むページング応答メッセージを送信するように構成することができる。
【００４９】
ＷＴＲＵ１０５内の受信機３１０は、ソースＲＡＴネットワークからターゲットＲＡＴネットワークへのシステム間変更を実施した後で、ＷＴＲＵが使うべき識別の明示的指示を含むＣＳサービス通知メッセージを受信するように構成することができる。ＷＴＲＵ１０５内の送信機３２０は、ハンドオーバが実施された後で、明示的指示を含むページング応答メッセージを送信するように構成することができる。明示的指示は、ＷＴＲＵのＩＭＳＩを示すＩＥでも、ＷＴＲＵに割り当てられたＴＭＳＩを示すＩＥでもよい。明示的指示は、少なくとも１ビットを含むことができ、そうすることによって１のビット値は、ハンドオーバ後にＷＴＲＵのＩＭＳＩが使われるべきであることを示し、ゼロのビット値は、ハンドオーバ後に、ＷＴＲＵに割り当てられたＴＭＳＩが使われるべきであることを示す。
【００５０】
ＲＡＴ間転送を容易にするために用いられ得る別の手順は、ＷＴＲＵが、（ページングまたはＮＡＳメッセージにより）、どのタイプのサービスについて通知されているかに関する明白な指示を受信することを含む。前述したように、ＥＰＳにおいて提供され得るＣＳサービスは、ＣＳＦＢおよび／またはＣＳオーバーＥＰＳどちらでもよい。
【００５１】
ＣＳサービス通知中の明示的指示は、要求がＣＳＦＢまたはＣＳオーバーＰＳを求めるものであることをＷＴＲＵに知らせるのに使われる。ＣＳサービスタイプ（すなわち、ＣＳＦＢまたはＣＳオーバーＰＳ）を示すＩＥが使われ得る。各オプション、たとえば、ＣＳオーバーＰＳに関する他の情報も含まれてよく、実際の要求は「ＣＳ音声コール」である。この方式は、特徴のどの組合せも、たとえば、ＣＳＦＢおよびＣＳオーバーＰＳの両方、またはＣＳオーバーＰＳおよびＩＭＳ／ＶｏＩＰが可能なＷＴＲＵに対して用いることができる。この指示は、ビットマップ（１または複数ビット）の形でも実施され得る。あるいは、この指示は、ＷＴＲＵが、ＣＳＦＢおよびＣＳオーバーＥＰＳの両方が可能なとき、ＣＳオーバーＰＳに対してのみ含まれ得る。指示がない場合、ＷＴＲＵは、サービスタイプをＣＳＦＢであると見なす。
【００５２】
ＣＳオーバーＰＳまたは他の任意のサービスを求める着信される要求を示すための異なるＮＡＳメッセージの使用が、利用され得る。したがって、ＣＳＦＢおよびＣＳオーバーＰＳの両方が可能なＷＴＲＵは、どのようなタイプのサービスが期待されることになるかということと、どのような応答が使われるかということを区別することができる。たとえば、ＷＴＲＵが接続モードにあるとき、新規「ＣＳオーバーＰＳサービス通知メッセージ」をＣＳオーバーＰＳ着信されるサービス向けに使うことができる。さらに、実際の要求、たとえば、「ＣＳ音声コール着信」（terminating CS voice call）を、メッセージ中に含めることができる。
【００５３】
ＣＳオーバーＰＳサービス向けの異なるコアネットワークドメインインジケータが、ページングメッセージ中で使われ得る。新たなコアドメインインジケータが、すべてのサービス、たとえば、ＣＳオーバーＰＳ向けに使われる。現時点で、ＥＰＳを介した唯一のＣＳサービスとしてのＣＳＦＢを用いて、ＣＳコールページング向けの対応するコアドメインインジケータは、「ＣＳ」である。ＷＴＲＵが、そうではなく「ＰＳ」という値を受信した場合、ＷＴＲＵは、ページングはＥＰＳパケットサービスに対するものであることを知る。したがって、新たなコアドメインインジケータ、すなわち「ＣＳオーバーＰＳ」の使用は、ページングをトリガしたドメインを厳密に指定するのに使われ得る。
【００５４】
ＲＡＴ間転送を容易にする別のやり方は、ＷＴＲＵによって、新たなサービスタイプが「移動体着信ＣＳオーバーＰＳ」（mobile terminated CS over PS）に設定された、現在の拡張サービス要求メッセージと、「ＣＳオーバーＰＳ受諾」（CS over PS Accepted）および「ＣＳオーバーＰＳ拒絶」（CS over PS rejected）を含む値をもつ応答ＩＥとを使うものである。あるいは、ＣＳオーバーＰＳ着信要求に応答するための新たなメッセージが定義され得る。このメッセージは、上で定義した応答ＩＥも有し得る。
【００５５】
サービス要求を使って着信要求に応答することもでき、このサービス要求は任意選択で、要求タイプが「移動体着信ＣＳオーバーＰＳ」に設定される。このメッセージは、上で定義した応答ＩＥも有し得る。
【００５６】
ＲＡＴ間転送を容易にする別のやり方は、ＷＴＲＵが、「移動体発信ＣＳオーバーＰＳ」（mobile originated CS over PS）に設定された新たなサービスタイプをもつ現在の拡張サービス要求メッセージを使うものである。あるいは、ＣＳオーバーＰＳを要求するために新たなメッセージを定義することができる。任意選択で、「移動体発信ＣＳオーバーＰＳ」に設定された要求タイプをもつサービス要求を使って、ＣＳオーバーＰＳサービスを求める要求を行うこともできる。それにも関わらず、ＷＴＲＵは、サービスタイプを「移動体発信緊急コール」（mobile originated emergency call）に設定することによって、コールが緊急コールであることも示し得る。
【００５７】
上で識別したメッセージすべての中に、ＷＴＲＵは、たとえば、「移動体発信ＣＳオーバーＰＳ」という要求タイプを含めることができる。ＷＴＲＵは、それに従って設定された新たな確立原因を使うことができる。
＜実施形態＞
【００５８】
１．ターゲットＲＡＴ（無線アクセス技術）ネットワーク内で非パケット交換サービスを提供する、ＷＴＲＵ（無線送受信ユニット）によって実装される方法であって、
ソースＲＡＴネットワークからターゲットＲＡＴネットワークへのシステム間変更を実施した後、ＷＴＲＵが使うべき識別を示す明示的指示を含むＣＳ（回線交換）サービス通知メッセージを受信すること、および
システム間変更が実施された後、明示的指示を含むページング応答メッセージを送信すること
を含む方法。
【００５９】
２．ＣＳサービス通知メッセージは、ＣＳコール要求を着信させるためのものである実施形態１に記載の方法。
【００６０】
３．ソースＲＡＴネットワークは、ＬＴＥ（ロングタームエボリューション）ネットワークであり、ターゲットＲＡＴネットワークは、３ＧＰＰ（第３世代パートナーシッププロジェクト）ネットワークである実施形態１〜２のいずれか１つに記載の方法。
【００６１】
４．明示的指示は、ＷＴＲＵのＩＭＳＩ（国際移動体加入者識別）を示すＩＥ（情報要素）である実施形態１〜３のいずれか１つに記載の方法。
【００６２】
５．明示的指示は、ＷＴＲＵに割り当てられたＴＭＳＩ（一時移動体加入者識別）を示すＩＥ（情報要素）である実施形態１〜４のいずれか１つに記載の方法。
【００６３】
６．明示的指示は、少なくとも１ビットを含む実施形態１〜５のいずれか１つに記載の方法。
【００６４】
７．１のビット値は、システム間変更が実施された後、ＷＴＲＵのＩＭＳＩ（国際移動体加入者識別）が使われるべきであることを示し、ゼロのビット値は、システム間変更が実施された後、ＷＴＲＵに割り当てられたＴＭＳＩ（一時移動体加入者識別）が使われるべきであることを示す実施形態６に記載の方法。
【００６５】
８．ターゲットＲＡＴ（無線アクセス技術）ネットワーク内で非パケット交換サービスを提供する、ＷＴＲＵ（無線送受信ユニット）によって実装される方法であって、
ＣＳ（回線交換）サービス通知メッセージを受信することであって、ＷＴＲＵは、有効なＴＭＳＩ（一時移動体加入者識別）を割り当てられている、こと、および
システム間変更がソースＲＡＴネットワークからターゲットＲＡＴネットワークへと実施された後、有効なＴＭＳＩを含むページング応答メッセージを送信すること
を含む方法。
【００６６】
９．ＣＳサービス通知メッセージは、ＣＳコール要求を着信させるためのものである実施形態８に記載の方法。
【００６７】
１０．ソースＲＡＴネットワークは、ＬＴＥ（ロングタームエボリューション）ネットワークであり、ターゲットＲＡＴネットワークは、３ＧＰＰ（第３世代パートナーシッププロジェクト）ネットワークである実施形態８〜９のいずれか１つに記載の方法。
【００６８】
１１．ターゲットＲＡＴ（無線アクセス技術）ネットワーク内で非パケット交換サービスを提供する、ＷＴＲＵ（無線送受信ユニット）によって実装される方法であって、
ＣＳ（回線交換）サービス通知メッセージを受信することであって、ＷＴＲＵには、有効なＴＭＳＩ（一時移動体加入者識別）が割り当てられていない、こと、および
ソースＲＡＴネットワークからターゲットＲＡＴネットワークにシステム間変更が実施された後、ＷＴＲＵを識別するＩＭＳＩ（国際移動体加入者識別）を含むページング応答メッセージを送信すること
を含む方法。
【００６９】
１２．ＣＳサービス通知メッセージは、ＣＳコール要求を着信させるためのものである実施形態１１に記載の方法。
【００７０】
１３．ソースＲＡＴネットワークは、ＬＴＥ（ロングタームエボリューション）ネットワークであり、ターゲットＲＡＴネットワークは、３ＧＰＰ（第３世代パートナーシッププロジェクト）ネットワークである実施形態１１〜１２のいずれか１つに記載の方法。
【００７１】
１４．ターゲットＲＡＴ（無線アクセス技術）ネットワーク内で非パケット交換サービスを提供する、ＷＴＲＵ（無線送受信ユニット）によって実装される方法であって、
ソースＲＡＴネットワークからターゲットＲＡＴネットワークへのシステム間変更中に、ターゲットＲＡＴネットワークに関連した情報を含むＥ−ＵＴＲＡＮ（進化型ユニバーサル地上無線アクセスネットワーク）移動メッセージを受信することであって、移動メッセージは、ＧｓインタフェースがターゲットＲＡＴネットワーク内でサポートされるかどうかを示す、ことを含む方法。
【００７２】
１５．ターゲットＲＡＴ（無線アクセス技術）ネットワーク内で非パケット交換サービスを提供する、ＷＴＲＵ（無線送受信ユニット）によって実装される方法であって、
ＩＥ（情報要素）を含む少なくとも１つのターゲットＲＡＴネットワークシステム情報メッセージを受信することを含む方法。
【００７３】
１６．ＩＥは、ＧＰＲＳ（汎用パケット無線サービス)セルオプションＩEである実施形態15に記載の方法。
【００７４】
１７．ターゲットＲＡＴ（無線アクセス技術）ネットワーク内で非パケット交換サービスを提供するＷＴＲＵ（無線送受信ユニット）であって、
ソースＲＡＴネットワークからターゲットＲＡＴネットワークへのシステム間変更を実施した後、ＷＴＲＵが使うべき識別を示す明示的指示を含むＣＳ（回線交換）サービス通知メッセージを受信するように構成された受信機と、
システム間変更が実施された後、明示的指示を含むページング応答メッセージを送信するように構成された送信機と
を備えるＷＴＲＵ。
【００７５】
１８．ＣＳサービス通知メッセージは、ＣＳコール要求を着信させるためのものである実施形態１７に記載のＷＴＲＵ。
【００７６】
１９．ソースＲＡＴネットワークは、ＬＴＥ（ロングタームエボリューション）ネットワークであり、ターゲットＲＡＴネットワークは、３ＧＰＰ（第３世代パートナーシッププロジェクト）ネットワークである実施形態１７〜１８のいずれか１つに記載のＷＴＲＵ。
【００７７】
２０．明示的指示は、ＷＴＲＵのＩＭＳＩ（国際移動体加入者識別）を示すＩＥ（情報要素）である実施形態１７〜１９のいずれか１つに記載のＷＴＲＵ。
【００７８】
２１．明示的指示は、ＷＴＲＵに割り当てられたＴＭＳＩ（一時移動体加入者識別）を示すＩＥ（情報要素）である実施形態１７〜２０のいずれか１つに記載のＷＴＲＵ。
【００７９】
２２．明示的指示は、少なくとも１ビットを含む実施形態１７〜２１のいずれか１つに記載のＷＴＲＵ。
【００８０】
２３．１のビット値は、システム間変更が実施された後、ＷＴＲＵのＩＭＳＩ（国際移動体加入者識別）が使われるべきであることを示し、ゼロのビット値は、システム間変更が実施された後、ＷＴＲＵに割り当てられたＴＭＳＩ（一時移動体加入者識別）が使われるべきであることを示す実施形態２２に記載のＷＴＲＵ。
【００８１】
２４．ターゲットＲＡＴ（無線アクセス技術）ネットワーク内で非パケット交換サービスを提供するＷＴＲＵ（無線送受信ユニット）であって、
ＣＳ（回線交換）サービス通知メッセージを受信するように構成された受信機であって、ＷＴＲＵには、有効なＴＭＳＩ（一時移動体加入者識別）が割り当て済みである、受信機と、
ソースＲＡＴネットワークからターゲットＲＡＴネットワークにシステム間変更が実施された後、有効なＴＭＳＩを含むページング応答メッセージを送信するように構成された送信機と
を備えるＷＴＲＵ。
【００８２】
２５．ＣＳサービス通知メッセージは、ＣＳコール要求を着信させるためのものである実施形態２４に記載のＷＴＲＵ。
【００８３】
２６．ソースＲＡＴネットワークは、ＬＴＥ（ロングタームエボリューション）ネットワークであり、ターゲットＲＡＴネットワークは、３ＧＰＰ（第３世代パートナーシッププロジェクト）ネットワークである実施形態２４〜２５のいずれか１つに記載のＷＴＲＵ。
【００８４】
２７．ターゲットＲＡＴ（アクセス技術）ネットワーク内で非パケット交換サービスを提供するＷＴＲＵ（無線送受信ユニット）であって、
ＣＳ（回線交換）サービス通知メッセージを受信するように構成された受信機であって、ＷＴＲＵには、有効なＴＭＳＩ（一時移動体加入者識別）が割り当て済みである、受信機と、
ソースＲＡＴネットワークからターゲットＲＡＴネットワークにシステム間変更が実施された後、ＷＴＲＵを識別するＩＭＳＩ（国際移動体加入者識別）を含むページング応答メッセージを送信するように構成された送信機と
を備えるＷＴＲＵ。
【００８５】
２８．ＣＳサービス通知メッセージは、ＣＳコール要求を着信させるためのものである実施形態２７に記載のＷＴＲＵ。
【００８６】
２９．ソースＲＡＴネットワークは、ＬＴＥ（ロングタームエボリューション）ネットワークであり、ターゲットＲＡＴネットワークは、３ＧＰＰ（第３世代パートナーシッププロジェクト）ネットワークである実施形態２７〜２８のいずれか１つに記載のＷＴＲＵ。
【００８７】
３０．ターゲットＲＡＴ（アクセス技術）ネットワーク内で非パケット交換サービスを提供するＷＴＲＵ（無線送受信ユニット）であって、
送信機と、
ソースＲＡＴネットワークからターゲットＲＡＴネットワークへのシステム間変更中に、ターゲットＲＡＴネットワークに関連した情報を含むＥ−ＵＴＲＡＮ（進化型ユニバーサル地上無線アクセスネットワーク）移動メッセージを受信するように構成された受信機であって、移動メッセージは、ターゲットＲＡＴネットワーク内でＧｓインタフェースがサポートされるかどうかを示す、受信機と
を備えるＷＴＲＵ。
【００８８】
３１．ターゲットＲＡＴ（アクセス技術）ネットワーク内で非パケット交換サービスを提供するＷＴＲＵ（無線送受信ユニット）であって、
送信機と、
ＩＥ（情報要素）を含む少なくとも１つのターゲットＲＡＴネットワークシステム情報メッセージを受信するように構成された受信機と
を備えるＷＴＲＵ。
【００８９】
３２．ＩＥは、ＧＰＲＳ（汎用パケット無線サービス）セルオプションＩＥである実施形態３１に記載のＷＴＲＵ。
【００９０】
特徴および要素を、具体的に組み合わせて上で記載したが、各特徴または要素は、他の特徴および要素なしで個別に、または他の特徴および要素ありもしくはなしで、様々に組み合わせて用いることができる。ここで挙げた方法またはフローチャートは、汎用コンピュータまたはプロセッサによる実行用のコンピュータ可読記憶媒体に組み込まれる、コンピュータプログラム、ソフトウェア、またはファームウェア中に実装することができる。コンピュータ可読記憶媒体の例は、ＲＯＭ（読出し専用メモリ；read only memory）、ＲＡＭ（ランダムアクセスメモリ；random access memory）、レジスタ、キャッシュメモリ、半導体メモリ素子、内部ハードディスクおよび取外し可能ディスクなどの磁気メディア、光磁気メディア、ならびにＣＤ−ＲＯＭディスク、およびＤＶＤ（デジタル多用途ディスク；digital versatile disk）などの光メディアを含む。
【００９１】
適切なプロセッサは、例として、汎用プロセッサ、特殊目的プロセッサ、従来のプロセッサ、ＤＳＰ（デジタル信号プロセッサ；digital signal processor）、複数のマイクロプロセッサ、ＤＳＰコアと関連した１つもしくは複数のマイクロプロセッサ、コントローラ、マイクロコントローラ、ＡＳＩＣ（特定用途向け集積回路；Application Specific Integrated Circuit）、ＦＰＧＡ（フィールドプログラム可能ゲートアレイ；Field Programmable Gate Array）回路、他の任意のタイプのＩＣ（集積回路；integrated circuit）、および／または状態マシンを含む。
【００９２】
ソフトウェアと関連したプロセッサは、ＷＴＲＵ（無線送受信ユニット；wireless transmit receive unit）、ＵＥ（ユーザ装置；user equipment）、端末、基地局、ＲＮＣ（無線ネットワークコントローラ；radio network controller）、または任意のホストコンピュータ内で使用するための無線周波数トランシーバを実装するのに使うことができる。ＷＴＲＵは、カメラ、ビデオカメラモジュール、テレビ電話、スピーカーフォン、振動デバイス、スピーカ、マイクロホン、テレビトランシーバ、ハンズフリーヘッドセット、キーボード、ブルートゥース（登録商標）モジュール、ＦＭ（周波数変調；frequency modulated）無線ユニット、ＬＣＤ（液晶ディスプレイ；liquid crystal display）表示ユニット、ＯＬＥＤ（有機発光ダイオード；organic light-emitting diode）表示ユニット、デジタル音楽プレーヤ、メディアプレーヤ、ビデオゲームプレーヤモジュール、インターネットブラウザ、および／または任意のＷＬＡＮ（無線ローカルエリアネットワーク；wireless local area network）もしくはＵＷＢ（超広帯域；Ultra Wide Band）モジュールなど、ハードウェアおよび／またはソフトウェア中に実装されるモジュールとともに使うことができる。
【図１】
0006055872.tif 000002
【図２】
0006055872.tif 000003
【図３】
0006055872.tif 000004